(57)【要約】【課題】構造部材の外面とブレスとの距離を調整することが可能な耐震補強金具を提供する。【解決手段】耐震補強金具１は、固定部１０が、板形状に形成されたベース底部１１１と、筒形状に形成されたベース壁部１１２と、ベース底部１１１からベース壁部１１２が延びる方向に延びるベース固定部１１３と、を有するベース部１１と、ブレス２０が挿通するブレス挿通孔１２１ａが形成されたブレス受け壁部１２１と、ブレス受け壁部１２１の内面に固定されるブレス受け底部１２２と、を有するブレス受け部１２と、を備え、ブレス受け部１２は、ベース壁部１１２の内部に挿通され、ベース固定部１１３により、ベース部１１に対する任意の位置で、ベース部１１に固定されることで、外面５２０ａとブレス挿通孔１２１ａとの距離を調整可能である。【選択図】  図３
2019124085.tif 000002
【特許請求の範囲】
【請求項１】
建築物の構造部材に設けられる耐震補強金具であって、
前記構造部材の外面に固定される複数の固定部と、
両端が一対の前記固定部にそれぞれ連結され、互いに交差して配置される一対のブレスと、を備え、
前記固定部は、
前記構造部材の前記外面に固定され、板形状に形成されたベース底部と、前記ベース底部から前記外面と直交する方向に延び、筒形状に形成されたベース壁部と、前記ベース底部から前記ベース壁部が延びる方向に延びるベース固定部と、を有するベース部と、
前記ベース壁部の内径と略同じ外径の筒形状に形成され、前記ブレスが挿通するブレス挿通孔が形成されたブレス受け壁部と、前記ブレス受け壁部に囲まれた部分と略同じ形状の板形状に形成され、前記ブレス受け壁部の内面に固定されるブレス受け底部と、を有するブレス受け部と、を備え、
前記ブレス受け部は、前記ベース壁部の内部に挿通され、前記ベース固定部により、ベース部に対する任意の位置で、前記ベース部に固定されることで、前記外面と前記ブレス挿通孔との距離を調整可能である耐震補強金具。
【請求項２】
前記ブレス受け底部は、ブレス受け壁部の一端から所定寸法離れた位置に配置されている請求項１に記載の耐震補強金具。
【請求項３】
前記ベース底部は、前記ベース壁部の外側に突出するベース底突出部を有し、
前記ベース部は、前記ベース底突出部で、前記外面に固定される請求項１又は２に記載の耐震補強金具。
【発明の詳細な説明】
【技術分野】
【０００１】
本発明は、建築物の構造部材に設けられる耐震補強金具に関する。
【背景技術】
【０００２】
従来、基礎の上に設けられる土台、土台の上から立設される柱、柱に架けられる梁等の構造部材を備える建築物を耐震補強する場合、互いに対向する構造部材の仕口同士をブレスによって連結する。これにより、建築物の横揺れに対する強度が向上する。
【０００３】
このような耐震補強を行うための耐震補強金具として、発明者は、一対のブレスの両端が連結される固定部において、建築物の構造部材の外面に固定され、円板形状に形成されたベース底部と、ベース底部の外縁から外面と直交する方向に延び、円筒形状に形成されたベース壁部と、を有するベース部と、ベース底部を挟んで構造部材に固定されるブレス受け底部と、ブレス受け底部の外縁近傍から外面と直交する方向に突出し、ブレスが挿通するブレス挿通孔が形成されたブレス受け壁部と、を有する耐震補強金具を提案している（特許文献１参照）。
【０００４】
このような耐震補強金具によれば、構造部材に外壁材が取り付けられた建築物において、外壁材を貼り替えることなく、構造部材に取り付けることができる。
【先行技術文献】
【特許文献】
【０００５】
【特許文献１】実用新案登録第３１８８０６０号公報
【発明の概要】
【発明が解決しようとする課題】
【０００６】
ところで、特許文献１の耐震補強金具は、建築物の構造部材に取り付けられ、耐震補強のためのブレスは、構造部材の外面に取り付けられた外壁材の外面側に設けられる。このため、外壁材の厚みや、外壁材の外表面に設けられたその他の部材（窓等）の外表面からの出っ張りに応じて、構造部材の外面とブレスとの距離を調整したい場合がある。
【０００７】
本発明は、構造部材の外面とブレスとの距離を調整することが可能な耐震補強金具を提供することを目的とする。
【課題を解決するための手段】
【０００８】
上記の目的を達成するために、本発明は、以下のような耐震補強金具を提供する。
【０００９】
（１）  建築物の構造部材に設けられる耐震補強金具であって、
前記構造部材の外面に固定される複数の固定部と、
両端が一対の前記固定部にそれぞれ連結され、互いに交差して配置される一対のブレスと、を備え、
前記固定部は、
前記構造部材の前記外面に固定され、板形状に形成されたベース底部と、前記ベース底部から前記外面と直交する方向に延び、筒形状に形成されたベース壁部と、前記ベース底部から前記ベース壁部が延びる方向に延びるベース固定部と、を有するベース部と、
前記ベース壁部の内径と略同じ外径の筒形状に形成され、前記ブレスが挿通するブレス挿通孔が形成されたブレス受け壁部と、前記ブレス受け壁部に囲まれた部分と略同じ形状の板形状に形成され、前記ブレス受け壁部の内面に固定されるブレス受け底部と、を有するブレス受け部と、を備え、
前記ブレス受け部は、前記ベース壁部の内部に挿通され、前記ベース固定部により、ベース部に対する任意の位置で、前記ベース部に固定されることで、前記外面と前記ブレス挿通孔との距離を調整可能である耐震補強金具。
【００１０】
（１）の構成によれば、耐震補強金具は、建築物の構造部材の外面に固定される複数の固定部と、両端が一対の固定部にそれぞれ連結され、互いに交差して配置される一対のブレスと、を備える。ここで、本発明における「構造部材」には、建築物の基礎の上に設けられる土台、土台の上から立設される柱、柱に架けられる梁が含まれる。
【００１１】
そして、固定部は、ベース部と、ブレス受け部と、を備える。固定部は、ベース部と、ブレス受け部と、を備える。ベース部は、ベース底部と、ベース壁部と、ベース固定部と、を有する。ベース底部は、構造部材の外面に固定され、板形状に形成されている。ベース壁部は、ベース底部から外面と直交する方向に延び、筒形状に形成されている。ベース固定部は、ベース底部からベース壁部が延びる方向に延びる。ブレス受け部は、ブレス受け壁部と、ブレス受け底部と、を有する。ブレス受け壁部は、ベース壁部の内径と略同じ外径の筒形状に形成され、ブレスが挿通するブレス挿通孔が形成されている。ブレス受け底部は、ブレス受け壁部に囲まれた部分と略同じ形状の板形状に形成され、ブレス受け壁部の内面に固定される。
そして、ブレス受け部は、ベース壁部の内部に挿通され、ベース固定部により、ベース部に対する任意の位置で、ベース部に固定されることで、外面とブレス挿通孔との距離を調整可能である。
【００１２】
これにより、ブレスが挿通するブレス挿通孔が形成されたブレス受け部を、構造部材の外面に固定されたベース固定部のベース固定部により、ベース部に対する任意の位置で、ベース部に固定することで、構造部材の外面とブレス挿通孔との距離を調整可能となる。
したがって、構造部材の外面とブレスとの距離を調整することが可能な耐震補強金具を提供できる。
【００１３】
このため、例えば、構造部材の外面に取り付けられる外壁材の厚みや、外壁材の外表面に設けられたその他の部材（窓等）の外表面からの出っ張りに応じて、構造部材の外面とブレスとの距離を調整可能となり、外壁材の厚み等にかかわらず、耐震補強金具を建築物に設けることが可能となる。
【００１４】
（２）  前記ブレス受け底部は、ブレス受け壁部の一端から所定寸法離れた位置に配置されている（１）記載の耐震補強金具。
【００１５】
例えば、ブレス受け底部が、ブレス受け壁部の一端に配置されていた場合、ベース部において、ベース底部にベース固定部を取り付けた箇所が、ベース底部から突出していると、ブレス受け部を、ベース壁部の内部に、ブレス受け壁部の一端がベース底部に当接するまで挿通しようとしても、ブレス受け底部がこの突出した部分に当接してしまい、ブレス受け壁部の一端がベース底部に当接するまで挿通できない。このため、構造部材の外面とブレスとの距離の調整可能な範囲が狭まってしまう。
【００１６】
（２）の構成によれば、ブレス受け部を底上げすることが可能となる。これにより、ベース部において、ベース底部にベース固定部を取り付けた箇所が、ベース底部から突出していても、ブレス受け部を、ベース壁部の内部に、ブレス受け壁部の一端がベース底部に当接するまで挿通する場合に、ブレス受け底部がこの突出した部分に当接しないので、ブレス受け壁部の一端がベース底部に当接するまで挿通可能となる。よって、構造部材の外面とブレスとの距離の調整可能な範囲が狭まってしまうのを防止できる。
【００１７】
（３）  前記ベース底部は、前記ベース壁部の外側に突出するベース底突出部を有し、
前記ベース部は、前記ベース底突出部で、前記外面に固定される請求項１又は２に記載の耐震補強金具。
【００１８】
（３）の構成によれば、ベース部を、ベース壁部の外側で、構造部材の外面に固定できる。
これにより、ベース部と構造部材との接触面積をより広げ、このより広がった部分で、構造部材の外面に固定できるので、ベース底突出部を設けず、ベース壁部の内側で構造部材の外面に固定した場合に比べ、構造部材への固定力が向上する。
【００１９】
また、ベース底突出部で、構造部材の外面に固定可能とすることで、ベース固定部が設けられたベース壁部の内側で構造部材の外面に固定した場合に比べ、構造部材の外面に固定するためのビス等の配置位置の自由度や、ベース壁部の内側での作業性が向上する。
【発明の効果】
【００２０】
本発明の耐震補強金具によれば、構造部材の外面とブレスとの距離を調整することが可能な耐震補強金具を提供できる。
【図面の簡単な説明】
【００２１】
【図１】本発明の一実施形態に係る耐震補強金具１が建築物５００に適用された状態を示す図である。
【図２】前記実施形態に係る固定部１０の分解図である。
【図３】前記実施形態に係る固定部１０の断面図である。
【図４】前記実施形態に係るベース部１１を正面から視た図である。
【図５】前記実施形態に係るブレス受け部１２を正面から視た図である。
【図６】前記実施形態に係る固定部１０の断面図である。
【図７】前記実施形態に係る基礎固定部１３を正面から視た図である。
【発明を実施するための形態】
【００２２】
〈耐震補強金具１の構成〉
本発明の実施形態に係る耐震補強金具１の構成を図面に基づいて説明する。図１は、本発明の一実施形態に係る耐震補強金具１が建築物５００に適用された状態を示す図である。建築物５００は、地盤に設けられた基礎５１０の上に構造部材５２０が設けられ、構造部材５２０の外面５２０ａに外壁材５３０が取り付けられている。構造部材５２０には、基礎５１０の上に設けられる土台５２１、土台５２１の上から立設される柱５２２、柱５２２に架けられる梁５２３が含まれる。本実施形態の説明において、土台５２１と柱５２２との接合部や、柱５２２と梁５２３との接合部を仕口５２５と言う。なお、耐震補強金具１は、構造部材５２０の外面５２０ａに直接的に設けてもよいし、外壁材５３０の上から、外壁材５３０を介して、構造部材５２０の外面５２０ａに間接的に設けてもよい。
【００２３】
耐震補強金具１は、構造部材５２０において、外壁材５３０が取り付けられる外面に固定される複数の固定部１０と、両端が一対の固定部１０にそれぞれ連結され、互いに交差して配置される一対のブレス２０と、を備える。なお、複数の固定部１０は、構造部材５２０の任意の位置に固定されてもよいが、仕口５２５に固定されるのが望ましい。
【００２４】
本実施形態において、固定部１０は、土台５２１及び梁５２３において、互いに隣接する２本の柱５２２の軸線上に、それぞれ固定されている。図２は、前記実施形態に係る固定部１０の分解図である。固定部１０は、構造部材５２０の外面５２０ａに固定されるベース部１１と、ベース部１１の内部に配置され、ブレス２０が固定されるブレス受け部１２と、ベース部１１と基礎５１０とを連結する基礎固定部１３と、を備える。また、固定部１０は、ベース部１１及びブレス受け部１２の少なくとも一部を覆うカバー部(図示無し)を備えてもよい。
【００２５】
図３は、前記実施形態に係る固定部１０の断面図である。
図４は、前記実施形態に係るベース部１１を正面から視た図である。
ベース部１１は、ベース底部１１１と、ベース壁部１１２と、ベース固定部１１３と、を有する。
【００２６】
ベース底部１１１は、構造部材５２０の外面５２０ａに固定され、板形状であり、正面（外面５２０ａに対面する方向）から見て円形状に形成されている。なお、ベース底部１１１は、正面から見て円形状に限らず、四角形等の任意の形状とすることができる。
また、ベース底部１１１は、ベース壁部１１２の外側に突出するベース底突出部１１１ａを有する。
【００２７】
ベース底突出部１１１ａには、ベース部１１を構造部材５２０に固定するための固定部材（例えば、ビスやボルト）が挿通する複数のベース部固定用孔１１１ｂ（図４に示すベース底突出部１１１ａにおける円形状の部分）が、ベース底部１１１の外周に沿って形成されている。
複数のベース部固定用孔１１１ｂは、ベース底部１１１の外周に沿って、所定間隔で配置してもよいし、ベース底部１１１に、より引っ張り荷重が掛かる部分に密集させて形成させてもよい。
【００２８】
ベース壁部１１２は、ベース底部１１１から構造部材５２０の外面５２０ａと直交する方向に延び、筒形状に形成されている。また、ベース壁部１１２には、先端から、ベース底部１１１に固定された基端側に向かって欠き込まれ、ブレス２０が挿通する欠き込み１１２ａが形成されている。なお、本実施形態において、ベース壁部１１２は、円筒形状に形成されているが、これに限らず、筒形状であれば、正面から見て矩形の筒形状等の任意の形状とすることができる。
【００２９】
ベース固定部１１３は、基端がベース底部１１１に固定され、ベース底部１１１からベース壁部１１２が延びる方向に延び、ねじ山が形成されたボルト部１１３ａと、ボルト部１１３ａに螺合するナット部１１３ｂと、を有する。ベース固定部１１３は、ベース壁部１１２の内側に、複数設けられており、所定間隔で配置してもよいし、ブレス受け部１２に、より引っ張り荷重が掛かる部分（例えば、ブレス２０が配置される欠き込み１１２ａ近傍）に密集させて形成させてもよい。なお、ベース固定部１１３は、複数に限らす、所定の強度が確保できれば、例えば、１つだけ設けてもよい。
【００３０】
ボルト部１１３ａは、例えば、ベース底部１１１に溶接されたナットと、基端側が螺合することで、ベース底部１１１に固定される。
【００３１】
ナット部１１３ｂは、例えば（図３に示す例では）、１つのボルト部１１３ａに２つ設けられる。この場合、２つのナット部１１３ｂにより、後述するブレス受け部１２のブレス受け底部１２２を挟持することで、ブレス受け部１２をベース部１１に固定する。
【００３２】
ベース固定部１１３は、ブレス受け部１２を、ベース部１１に対する任意の位置で、ベース部１１に固定する。詳細には、ボルト部１１３ａのナット部１１３ｂにおける位置（ボルト部１１３ａのベース底部１１１からの距離）を変えることで、ブレス受け部１２のベース部１１に対する位置（ブレス受け部１２の構造部材５２０の外面５２０ａからの距離）を調整可能となる。
【００３３】
図５は、前記実施形態に係るブレス受け部１２を正面から視た図である。
ブレス受け部１２は、ベース壁部１１２の内部に挿通され、ブレス受け壁部１２１と、ブレス受け底部１２２と、を有する。
図３に示すように、ブレス受け壁部１２１は、ベース壁部１１２の内径と略同じ外径の筒形状に形成され、図５に示すように、ブレス２０が挿通するブレス挿通孔１２１ａが形成されている。ブレス受け壁部１２１は、ベース壁部１１２（図４参照）と同様に、円筒形状に形成されているが、これに限らず、ベース壁部１１２の内径と略同じ外径を有する筒形状であれば、正面から見て矩形の筒形状等の任意の形状とすることができる。
【００３４】
ブレス受け底部１２２は、ブレス受け壁部１２１に囲まれた部分と略同じ形状の板形状に形成され、ブレス受け壁部１２１の内面に固定される。
【００３５】
また、ブレス受け底部１２２は、ブレス受け壁部１２１の一端（ブレス受け部１２がベース壁部１１２の内部に挿通された状態におけるベース底部１１１側の端部）から所定寸法離れた位置に配置されている。
【００３６】
また、ブレス受け底部１２２には、ブレス受け部１２がベース壁部１１２の内部に挿通された状態において、ベース固定部１１３が配置された位置に対応する位置に、ベース固定部１１３のボルト部１１３ａが挿通可能であり、ナット部１１３ｂが挿通不可能である内径の挿通孔１２２ａが形成されている。
【００３７】
図３に示すように、ブレス受け部１２は、このような構成により、ベース壁部１１２の内部に挿通される。このとき、ブレス受け底部１２２の挿通孔１２２ａに、ベース固定部１１３のボルト部１１３ａが挿通し、ベース底部１１１からの距離が調整された１つ目のナット部１１３ｂに、ブレス受け底部１２２が当接する。そして、この状態で、もう１つのナット部１１３ｂをボルト部１１３ａに螺合させ、２つのナット部１１３ｂの間で、ブレス受け底部１２２を挟持する。
【００３８】
図６は、前記実施形態に係る固定部１０の断面図である。図６は、ブレス受け部１２のベース部１１に対する位置が、図３に示す例とは異なる。また、図６に示す例では、ベース固定部１１３のナット部１１３ｂは、１つのボルト部１１３ａに１つ設けられている点が、図３に示す例とは異なる。
【００３９】
図６に示す例では、ブレス受け部１２のブレス受け壁部１２１の一端が、ベース部１１のベース底部１１１に当接した状態である。このように、ベース固定部１１３は、１つのボルト部１１３ａに、ナット部１１３ｂを１つ設け、ボルト部１１３ａをベース底部１１１に固定するためにベース底部１１１に溶接されたナットと、１つのボルト部１１３ａとの間で、ブレス受け底部１２２を挟持してもよい。これにより、図３に示す例に比べ、ブレス受け壁部１２１に形成されたブレス挿通孔１２１ａを、構造部材５２０の外面５２０ａ側に寄せることができる。すなわち、ブレス２０を外面５２０ａ側に寄せることができる。
【００４０】
このように、ブレス受け部１２は、ベース部１１に対する任意の位置で、ベース部１１に固定される。また、ブレス受け部１２をベース部１１に対する任意の位置で固定することで、ブレス受け壁部１２１に形成されたブレス挿通孔１２１ａと、構造部材５２０の外面５２０ａとの距離が調整可能となる。
【００４１】
図７は、前記実施形態に係る基礎固定部１３を正面から視た図である。基礎固定部１３は、ベース側固定部１３１と、基礎側固定部１３２と、連結部１３３と、を備える。
【００４２】
ベース側固定部１３１は、ベース壁部１１２（図３参照）の外径と略同じ寸法の内径の環形状に形成された環形状部１３１ａと、環形状部１３１ａの外周面に固定され、環形状部１３１ａの外周面の接線と直交する方向に延びるベース側連結部１３１ｂと、を備える。環形状部１３１ａには、図３に示すように、その内部にベース壁部１１２が挿通される。ベース側連結部１３１ｂは、連結部１３３の先端側と螺合する。
【００４３】
基礎側固定部１３２は、基礎固定部１３を基礎５１０（図２参照）に固定する固定部材（例えば、ビスやボルト）が挿通する基礎側固定部孔１３２ａが形成された板状部１３２ｂと、板状部１３２ｂの先端に設けられ、筒状に形成され、連結部１３３の一部が挿通する筒状部１３２ｃと、を備える。基礎側固定部１３２は、例えば、コンクリート製の基礎５１０に打ち込まれたメス螺子形状のアンカーに、基礎側固定部孔１３２ａを挿通させた固定部材（例えば、ボルト）によって、基礎５１０に固定される。
【００４４】
連結部１３３は、少なくとも先端側に螺子山が形成され、先端側においてベース側固定部１３１のベース側連結部１３１ｂと螺合する首部１３３ａと、首部１３３ａの他端側に設けられ、基礎側固定部１３２の筒状部１３２ｃの内径より大きい外径で形成された頭部１３３ｂと、を備える。連結部１３３は、首部１３３ａの先端側がベース側固定部１３１と螺合し、頭部１３３ｂが基礎側固定部１３２の筒状部１３２ｃに係止することで、ベース側固定部１３１と基礎側固定部１３２とを連結する。
【００４５】
図５に戻って、ブレス２０は、少なくとも両端側において螺子山が形成された棒状体２１と、棒状体２１の両端側において棒状体２１と螺合するナット２２と、を備える。棒状体２１は、その両端側がそれぞれブレス受け部１２のブレス受け壁部１２１に形成されたブレス挿通孔１２１ａに挿通される。ナット２２は、ブレス挿通孔１２１ａの内径より大きい外径で形成され、ブレス挿通孔１２３ａに挿通された棒状体２１の端部に螺合される。また、ブレス受け壁部１２１とナット２２との間に、スプリングワッシャーを設けることで、棒状体２１に所定のテンションを掛けることが可能となり、棒状体２１のテンションが緩むのを防止できる。
【００４６】
〈耐震補強金具１の取り付け方法〉
次に、耐震補強金具１を建築物５００に取り付ける手順について説明する。本実施形態の説明では、耐震補強金具１をある柱５２２と他の柱５２２間に、耐震補強金具１を取り付ける場合について説明する。まず、土台５２１とある柱５２２との仕口５２５、ある柱５２２と梁５２３との仕口５２５、土台５２１と他の柱５２２との仕口５２５及び他の柱５２２と梁５２３との仕口５２５の４箇所の仕口５２５において、コアドリルにより、外壁材５３０に、ベース部１１の外径と同じ又は僅かに大きい径の孔をあける。
【００４７】
次に、外壁材５３０にあけられた孔に固定部１０のベース部１１を配置する。そして、土台５２１とある柱５２２との仕口５２５に配置したベース部１１と、他の柱５２２と梁５２３との仕口５２５に配置したベース部１１と、の向きを合わせ、これらのベース部１１を構造部材５２０に固定する。また、土台５２１と他の柱５２２との仕口５２５に配置したベース部１１と、ある柱５２２と梁５２３との仕口５２５に配置したベース部１１と、の向きを合わせ、これらのベース部１１を構造部材５２０に固定する。ここで、２つのベース部１１の向きを合わせるとは、具体的には、例えば、２つのベース部１１にそれぞれ形成された欠き込み１１２ａが互いに対向するように、ベース部１１を回転させて調整する。
【００４８】
次に、土台５２１と柱５２２との仕口５２５に固定したベース部１１のベース壁部１１２に、基礎固定部１３のベース側固定部１３１をはめ、基礎側固定部１３２を基礎５１０に固定する。
【００４９】
次に、外壁材５３０の厚さ等に応じて（外壁材５３０にブレス２０が接触しないように）、ベース固定部１１３における１つ目のナット部１１３ｂの位置を調整し、ベース壁部１１２の内部に、ブレス受け部１２を挿通し、ブレス受け底部１２２の挿通孔１２２ａに、ベース固定部１１３のボルト部１１３ａを挿通し、調整された１つ目のナット部１１３ｂに、ブレス受け底部１２２を当接させる。そして、もう１つのナット部１１３ｂをボルト部１１３ａに螺合させ、２つのナット部１１３ｂの間で、ブレス受け底部１２２を挟持する。
【００５０】
次に、ブレス受け部１２のブレス受け壁部１２１に形成されたブレス挿通孔１２３ａにブレス２０の棒状体２１の端部を挿入し、この棒状体２１の端部にナット２２を螺合させる。ナット２２を回転させ、ブレス２０に所定の張力をかける。
【００５１】
最後に、ベース部１１及びブレス受け部１２に、カバー部を被せ、カバー部と外壁材５３０との間に防水処理を行う。
【００５２】
なお、本発明は前記実施形態に限定されるものではなく、本発明の目的を達成できる範囲での変形、改良等は本発明に含まれるものである。
【符号の説明】
【００５３】
１  耐震補強金具
１０  固定部
１１  ベース部
１２  ブレス受け部
１３  基礎固定部
２０  ブレス
２１  棒状体
２２  ナット
１１１  ベース底部
１１１ａ  ベース底突出部
１１１ｂ  ベース部固定用孔
１１２  ベース壁部
１１２ａ  欠き込み
１１３  ベース固定部
１１３ａ  ボルト部
１１３ｂ  ナット部
１２１  ブレス受け壁部
１２１ａ  ブレス挿通孔
１２２  ブレス受け底部
１２２ａ  挿通孔
１２３ａ  ブレス挿通孔
１３１  ベース側固定部
１３１ａ  環形状部
１３１ｂ  ベース側連結部
１３２  基礎側固定部
１３２ａ  基礎側固定部孔
１３２ｂ  板状部
１３２ｃ  筒状部
１３３  連結部
１３３ａ  首部
１３３ｂ  頭部
５００  建築物
５１０  基礎
５２０  構造部材
５２０ａ  外面
５２１  土台
５２２  柱
５２３  梁
５２５  仕口
５３０  外壁材
【図１】
2019124085.tif 000003
【図２】
2019124085.tif 000004
【図３】
2019124085.tif 000005
【図４】
2019124085.tif 000006
【図５】
2019124085.tif 000007
【図６】
2019124085.tif 000008
【図７】
2019124085.tif 000009